(57)【要約】【課題】柵の横ビームの長手方向と同方向に移動する通行人等から表示パネルを容易に認識することが可能であり、加えて横ビームの任意の位置に表示パネルを取付けることが可能なパネル付き柵を提供する。【解決手段】支柱１の間に取付けられた横ビーム２に表示パネル３が設けられ、表示パネル３は横ビーム２の側方に突出して取付けられると共に、表示パネル３の表示面３１が横ビーム２の長手方向に向けられるようにパネル付き柵を構成する。【選択図】        図１
2010007327.tif 000002
【特許請求の範囲】
【請求項１】
適宜間隔をおいて立設された支柱の間に取付けられた横ビームに表示パネルが設けられ、該表示パネルは横ビームの側方に突出して取付けられると共に、表示面が横ビームの長手方向に向けられていることを特徴とするパネル付き柵。
【請求項２】
前記横ビームは、上下に間隔をおいて支柱の間に複数取付けられ、前記表示パネルは、前記表示面が設けられた平板状のパネルと、その上下に配置されパネルを支持する上下のフレームとを備え、前記上フレームの一端は、接続部材を介して上方の横ビームに取付けられ、前記下フレームの一端は、接続部材を介して下方の横ビームに取付けられていることを特徴とする請求項１に記載のパネル付き柵。
【請求項３】
前記上下のフレームは、もう一方の端部どうしが連結されると共に、前記連結部は、パネルの側端部から離れる方向に張り出された略横Ｕ字状に形成されていることを特徴とする請求項２に記載のパネル付き柵。
【発明の詳細な説明】
【技術分野】
【０００１】
本発明は、店舗等の屋外の敷地において敷地境界部に設置されたり、敷地を適宜大きさに区画するためや、駐輪場等で駐輪場所を区画するために設けられたりする柵に関するものであり、特にパネル付きの柵に関するものである。
【背景技術】
【０００２】
一般に、店舗等の屋外の敷地において敷地境界部に設置されたり、敷地を適宜大きさに区画するためや、駐輪場等で駐輪場所を区画するために設けられたりする柵は、支柱間に複数の横ビームを架設したものや、この横ビームの間に縦ビームを接続した縦格子状のものが用いられている。更に、歩行者や自転車等に乗った通行人等に対して目印や案内するために表示パネルが取付けられた柵も用いられており、このパネルの取付方法には様々なものが提案されている。
【０００３】
例えば、デザインパネルを挟んで平行に設けられた一対の横桟と、この一対の横桟を連結する複数本の連結桟とを備えており、前記デザインパネルが、透明の合成樹脂板と、この合成樹脂板に貼り付けられて所定のデザインを形成している有色透明の合成樹脂フィルムとを備えた防護柵が提案されている。この防護柵は、防護柵に対して水平斜め方向からの見通しがきき易いので、従来の防護柵に比べてその透視効果を向上させることができるものである（例えば、特許文献１参照。）。
【０００４】
又、道路に沿って設置されているガードレールの支柱に立て看板を取付けるための立て看板の取付金具であって、取付金具を構成する垂直部材に固定された板材と、Ｕ字ボルトの間で前記支柱を挟持するようになされた取付金具が提案されている。この取付金具は、立て看板をガードレールの支柱に簡単に着脱することが可能であり、立て看板が不要となって取り外した後にも支柱に傷が残ることがないものである。（例えば、特許文献２参照。）。
【０００５】
【特許文献１】実用新案登録第２５０１９４１号公報
【特許文献２】登録実用新案第３０３３６０５号公報
【発明の開示】
【発明が解決しようとする課題】
【０００６】
しかしながら、前者の防護柵は、一対の横桟を連結する連結桟のために、デザインパネルを後付けするには不向きであり、又、防護柵の長手方向と同じ方向に移動する通行人や自転車、自動車等の運転手からはデザインパネルが認識しにくいものであった。又、後者の立て看板の取付金具は、支柱のみに立て看板を取付けるものであり、支柱と支柱との中間位置等に立て看板を取付けることが困難であり、ガードレールの長手方向への立て看板の取付位置にかなりの制約を受けるであった。
【０００７】
本発明は、前記の如き問題点を解消し、柵の横ビームの長手方向と同方向に移動する通行人等から表示パネルを容易に認識することが可能であり、又横ビームの任意の位置に表示パネルを取付けることが可能なパネル付き柵を提供せんとするものである。
【課題を解決するための手段】
【０００８】
上記目的を達成するために、本発明は次のような構成としている。
すなわちこの発明に係るパネル付き柵は、適宜間隔をおいて立設された支柱の間に取付けられた横ビームに表示パネルが設けられ、該表示パネルは横ビームの側方に突出して取付けられると共に、表示面が横ビームの長手方向に向けられていることを特徴とするものである。
【０００９】
本発明に係るパネル付き柵において、横ビームを上下に間隔をおいて支柱の間に複数取付け、表示面が設けられたパネル部材を、平板状のパネルとその上下に配置されパネルを支持するフレームとを備えるように構成し、上フレームが接続部材を介して上方の横ビームに取付けられ、下フレームが接続部材を介して下方の横ビームに取付けられるように構成してもよい。
【００１０】
又本発明に係るパネル付き柵において、上下の支持フレームにおいて、もう一方の端部どうしを連結し、この連結部を、パネルの側端部から離れる方向に張り出した略横Ｕ字状に形成した構成としてもよい。
【発明の効果】
【００１１】
本発明によれば、適宜間隔をおいて立設された支柱の間に取付けられた横ビームに表示パネルが設けられ、該表示パネルは横ビームの側方に突出して取付けられると共に、表示面が横ビームの長手方向に向けられているので、横ビームの任意の位置から側方に向けて表示パネルを取付けることが可能であり、しかも横ビームの長手方向と同方向に進行する歩行者等は表示パネルの表示面を容易に視認することができる。
【００１２】
本発明に係るパネル付き柵において、前記横ビームを、上下に間隔をおいて支柱の間に複数取付けられ、前記表示パネルは、表示面が設けられた平板状のパネルと、その上下に配置されパネルを支持する上下のフレームとを備え、前記上フレームの一端は、接続部材を介して上方の横ビームに取付けられ、前記下フレームの一端は、接続部材を介して下方の横ビームに取付けられるようにすれば、フレームによりパネルを強固に支持することが可能であり、又横ビームに対し、柵の設置後であっても表示パネルの追加で取付けたり、取り外したり、或いは取付位置の調整したりすることが可能である。
【００１３】
又、本発明に係るパネル付き柵において、上下のフレームを、もう一方の端部どうしが連結されると共に、前記連結部は、パネルの側端部から離れる方向に張り出された略横Ｕ字状に形成されるようにすれば、通行人等が張り出し部を掴んだ際にパネルの側端部に接触することなく、歩行等の支持に利用することが可能となる。
【発明を実施するための最良の形態】
【００１４】
次に、本発明を実施するための最良の形態について図面を参照し、具体的に説明する。
【００１５】
すなわち、図１は本発明に係るパネル付き柵の第一の実施形態を示す斜視図、図２は図１の正面図、図３は図１の側面図、図４は図３の主要部の部分拡大図、図５は図４の主要部の分解説明図、図５は図４の接続金具の拡大説明図、図６は本発明に係るパネル付き柵の第二の実施形態を示す説明図である。
【００１６】
図１〜５は、本発明に係るパネル付き柵Ｐの第一の実施形態を示す説明図である。本形態に係る柵Ｐは、適宜間隔をおいて地表に複数立設された支柱１と、支柱１の間に取付けられた横ビーム２と、横ビーム２に設けられた表示パネル３とを備えている。
【００１７】
図１は本形態に係る柵Ｐの斜視図であり、図２は図１の主要部の正面図である。先ず、支柱１は、一般には断面が円形状や矩形状で、アルミニウム合金、ステンレス鋼や鋼材からなる金属管により作成され、その表面にはめっきや塗装等の表面処理が施されている。そして支柱１の頂部にキャップ１１が取付けられている。続いて、横ビーム２は、支柱１の間に上下に間隔をおいて２個取付けられたものであり、支柱１と同様に、一般には断面が円形状や矩形状で、アルミニウム合金、ステンレス鋼や鋼材からなる金属管により作成され、その表面にはめっきや塗装等の表面処理が施されている。
【００１８】
次に、表示パネル３は、横ビーム２の側方に突出して取付けられると共に、表示面３１が横ビーム２の長手方向に向けられているものであり、表示面３１が形成されたパネル３２とパネル３２の周囲に配置されパネル３２を支持するためのフレーム４とを備えている。パネル３２は、一般には金属板や樹脂板等の平板状のものが用いられ、平板の少なくと一方の面に塗装やシール材等の貼付により記号、名称、案内、標識等が表示されたものである。
【００１９】
図３及び図４は、表示パネル３の構造及び、横ビーム２に対する表示パネル３の取付構造を示すものであり、図３は図２のＡ−Ａ断面における縦断面図、図４は図３の主要部の拡大図である。先ず、表示パネル３の支持構造について詳しく説明する。パネル３２は、平板状に形成され一方の面に表示面３１が形成されると共に、パネル３２の上端部が上フレーム４１に支持され、パネル３２の下端部が下フレーム４２に支持されている。本形態では、上フレーム４１の外周面から下フレーム４２に向けて上支持片４３が垂下され、下フレーム４２の外周面から上フレーム４１に向けて下支持片４４が立設され、上下の支持片４３，４４が、パネル３２の表示面３１が形成された面とは反対側の面にそれぞれ当接され、ボルトＢ１、及びナットＮ１により締結されて、パネル３２がフレーム４に支持されている。尚、上下の支持片４３，４４はパネル３２の長さや高さ等の寸法やパネル３２の重量に応じて必要な個数を形成すればよい。又、パネル３２の支持方法は、本実施形態に限定されるものではなく、例えば、上下のフレーム４１，４２の円周方向に沿ってバンド状の支持部材を配置し、この支持部材の両端部の間にパネル３２を挟み、ボルト・ナット等で挟持固定するようにしてもよい。
【００２０】
表示パネル３の表示面３１を両面に形成する場合は、１個のパネル３２の両面に表示面３１を形成したものを用いてもよく、２個の表示パネルを重ね表示面３１がそれぞれ外側に配置されるように重ねて用いてもよい。後者において、パネル３２をフレーム４に取付ける場合は、この２個のパネル材３２を前後に配置して上下のフレーム４１，４２の上下支持片４３，４４の挟み、２個のパネル材３２と上下の支持片４３，４４をボルトＢ１及びナットＮ１によりそれぞれ締結してもよい。こうすれば、上下の支持片４３，４４が外観上目立たず、意匠性を損なうことを防ぐことができる。
【００２１】
これら構造により、横ビーム２の長手方向と同方向に移動する歩行者や自転車や自動車の運転手等の通行人は表示パネル３の表示部３１を容易に認識することができる。又、柵Ｐを自転車等の駐輪場として利用する場合、横ビーム２の長手方向と垂直方向に自転車等を駐輪する場合は、駐輪した人が駐輪場に戻ってくる場合は表示面３１の表示に基づいて駐輪場所の認識が可能となり、加えて、横ビーム２が仕切りとして利用することができるので、駐輪した自転車が横倒しになっても表示パネル３が仕切りとなって、表示パネル３を跨いで自転車が連続的に横倒しになることを防ぐことができる。更に、図１に示すように、表示パネル３が横ビーム２の両側方に突出して取付けられれば、前記の効果に加えて、歩行者が横ビーム２の側方のいずれに位置していても表示パネル３の表示部３１を容易に認識することができる。
【００２２】
加えてフレーム４は、連結部４５がパネル３２の側端部から離れる方向に張り出された横Ｕ字状に形成されている。これにより、通行人等が連結部４５を掴んで、歩行等の支持に利用することが可能となる。
【００２３】
次に、横ビーム２とフレーム４との接続構造について詳しく説明する。フレーム４の上フレーム４１は接続部材５を介して上横ビーム２に取付けられ、下フレーム４２は接続部材５を介して下横ビーム２に取付けられると共に、上下のフレーム４１，４２は上下の横ビーム２に対し直交して、且つ水平に取付けられている。尚、横ビーム２が上下に３個以上配置されている場合は、上フレーム４１を上方の横ビーム２に取付け、下フレーム４２は下方の横ビーム２に取付ければよい。更に、２個以上配置された横ビーム２に対して表示パネル３を複数個取付ける場合は、隣合う表示パネル２が同じ高さに配されるように取付けてもよいが、隣合う表示パネル２おいて、表示内容や、表示に必要な高さが異なる場合は、必要に応じて表示パネル２を異なる高さに配されるようにしてもよい。
【００２４】
接続部材５は、横ビーム２の任意の位置に固定するための横ビーム支持部５１と、フレーム４を固定するためのフレーム支持部５２とを備え、横ビーム２とフレーム４とを接続するものである。本形態では、接続金具５は、横ビーム２が挿通可能であり且つ横ビーム２の外周面に沿って円筒状に形成された横ビーム支持部５１と、その外周面から直角に突出し、上フレーム４１又は下フレーム４２の側端部が挟持される円筒状のフレーム支持部５２とを備えた上下に半割状で二個一対の接続金具５３，５４とからなる。この接続金具５３，５４は、半円筒状の横ビーム支持部５１の一端どうしが嵌合されて円筒状となされ、その内側で横ビーム２を挟持し、横ビーム２に接続部材５を固定するものである。又、上下に対向する半円筒状のフレーム支持部５２の間に上フレーム４１又は下フレーム４２の側端を挟持して、表示パネル３を横ビーム２に取付けるものである。
【００２５】
図５は、接続金具５３どうしが嵌合されて接続部材５が形成された状態を示すものであり、（ａ）は平面図、（ｂ）は正面図、（ｃ）は左側面図、（ｄ）は右側面図である。横ビーム支持部５１の嵌合箇所においては、一方の端部から嵌合する他方の端部に向けて先端側が幅広の突起５５が設けられ、他方の端部には、突起５５に対応する位置に、奥部が幅広となされた嵌合凹部５６が設けられている。そして、突起５５を嵌合凹部５６に嵌合させることによって円筒状の横ビーム支持部５１が形成される。
【００２６】
突起５５は、その内側面が横ビーム２の外周面に沿って円弧状に形成されているので、凹部５６と嵌合された際に、横ビーム２の長手方向や円周方向に移動させた際に、横ビーム２の外周面に引っ掛かって傷が生じたりするような不具合は起こりにくくなる。又、横ビーム支持部５１の外側面と突起５５の外側面とは、前記嵌合された際に略面一となされている。これにより、突起５５に作業者の作業着等が引っ掛かることはなく、又、外観上、嵌合部が目立ちにくくなり好ましい。
【００２７】
又図５の（ｃ）に示すように、フレーム支持部５２は間隔Ｋをおいて略円筒状に形成されている。このフレーム支持部５２にフレーム４を内挿し、フレーム支持部５２を上下に貫通するボルトＢ１及びナットＮ１によって間隔Ｋを狭めて、挿入されたフレーム４を挟持することにより、フレーム４を固定する。この際、横ビーム支持部５１において、嵌合箇所は円周方向に沿って互いに離れる方向に力が作用するので、円周方向に生じている嵌合箇所の隙間や、嵌合するための寸法の遊び等が吸収され、突起５５と凹部５６とがより強固に嵌合され、且つ横ビーム支持部５１に挿通された横ビーム２をより強固に挟持することができる。
【００２８】
これらの構造により、横ビーム２の任意の位置に接続部材５を介して表示パネル３を取付けることが可能となり、柵Ｐを設置した後でも、接続部材５の取り外しや取付けが容易であるため、表示パネル３の取付け、取り外し、取付位置の変更等を容易にすることができる。加えて、横ビーム２に取付孔等を設けるような作業は必要なく、接続部材５の取付場所を変更あるいは取り外した場合、その場所の取付孔等を隠蔽する作業は必要なく、外観を損なうことがない。
【００２９】
尚、歩行者等が横ビーム２に対して、比較的遠方から接近する場合は、表示パネル３を認識しづらい場合もあるので、表示パネル３が上下方向を軸として斜め方向に配置したものを用いてもよく、通行者の目の高さを考慮して、表示パネル３が左右方向を軸として傾斜した状態のものを用いてもよく、これらの表示パネル３と、前記の表示パネル３とを適宜組み合わせたものを用いてもよい。この際、表示パネル３のパネル３２を適宜角度に配置したものをフレーム４で支持する形態でもよく、フレーム４を適宜角度に曲折させたものでもよく、或いは接続部材５のフレーム支持部５２の形成方向を適宜調整した形態でもよく、これらを組み合わせた形態でもよい。
【００３０】
図６は、本発明に係パネル付き柵Ｐの第二の実施形態を示すものであり、（ａ）は主要部の側面図、（ｂ）は主要部の拡大平面図である。本発明に係る柵Ｐは、図１に示された柵Ｐと比べて、表示パネル３が横ビーム２を挟んで同じ位置に取付けられ、この両側の表示パネル３のフレーム４を支持するための接続部材５が設けられている点が異なるものであり、他の構成は図１に示された柵Ｐと同様である。
【００３１】
すなわち、本形態においては、接続部材５は、横ビーム２の外周面に沿って半円筒状に形成された横ビーム支持部５１の両端から、垂直方向に突出した半円筒状のフレーム支持部５２が横ビーム２及び両側のフレーム４を上下から挟むように配置されると共に、両側の上下のフレーム支持部５２をそれぞれ上下に貫通するボルトＢ２にナットＮ２が締結されることにより、横ビーム２及び両側のフレーム４を挟持すると共に、横ビーム２に対して両側のフレーム４をそれぞれ固定するものである。
【００３２】
尚、横ビーム２に対して、表示パネル３を取付ける方法は前記実施形態に限られるものではない。例えば、横ビーム２の側方から水平方向に貫通するようにフレーム４を取付けた形態でもよく、横ビーム２の側面にフレーム４の端部を溶接等で固定した形態でもよく、或いは、横ビーム２の上面或いは下面にフレーム４を配置し、ボルト・ナット等の締結具を用いて取付けた形態でもよい。
【図面の簡単な説明】
【００３３】
【図１】本発明に係るパネル付き柵の第一の実施形態を示す斜視図である
【図２】図１の正面図である。
【図３】図１の側面図である。
【図４】図３の主要部の部分拡大図である。
【図５】図４の接続部材の説明図である。
【図６】本発明に係るパネル付き柵の第二の実施形態を示す説明図である。
【符号の説明】
【００３４】
１    支柱
２    横ビーム
３    表示パネル
３１  表示面
３２  パネル
４    フレーム
４１  上フレーム
４２  下フレーム
５    接続部材
５１  横ビーム支持部
５２  フレーム支持部
５３、５４  接続金具
５５  突起
５６  凹部
Ｂ１、Ｂ２  ボルト
Ｎ１、Ｎ２  ナット
Ｋ    隙間
Ｐ    パネル付き柵
Ｓ    取付部材
【図１】
2010007327.tif 000003
【図２】
2010007327.tif 000004
【図３】
2010007327.tif 000005
【図４】
2010007327.tif 000006
【図５】
2010007327.tif 000007
【図６】
2010007327.tif 000008